(57)【要約】【課題】  贈答品等の被装飾物が大小様々な花束であってもまた花束以外の他の被装飾物であっても被装飾物に容易に括り付けることができて、贈答品等の被装飾物を確実に装飾することができる装飾用人形を提供する。【解決手段】  人形本体２に左右一対の腕又は前脚３が突設され、前記人形本体２を被装飾物に括り付ける紐体６を挿通するための紐通し部７が、前記一対の腕又は前脚３それぞれの先端側に設けられている。また、前記紐通し部７が、左右一対の腕又は前脚３を前方に向けて平行に引き揃えた際のそれぞれの左右方向内側に相当する部位に相対峙して設けられている。【選択図】図１
0003167187.tif 000002
【実用新案登録請求の範囲】
【請求項１】
人形本体（２）に左右一対の腕又は前脚（３）が突設され、前記人形本体（２）を被装飾物（９）に括り付ける紐体（６）を挿通するための紐通し部（７）が、前記一対の腕又は前脚（３）のそれぞれの先端側に設けられていることを特徴とする装飾用人形。
【請求項２】
前記紐通し部（７）が、左右一対の腕又は前脚（３）を前方に向けて平行に引き揃えた際のそれぞれの左右方向内側に相当する部位に相対峙して設けられていることを特徴とする請求項１に記載の装飾用人形。
【請求項３】
紐通し部（７）が、左右一対の腕又は前脚（３）から環状に突設されていることを特徴とする請求項１又は２に記載の装飾用人形。
【請求項４】
各紐通し部（７）にはそれぞれ別個の紐体（６）が挿通され、各紐体（６）はリボンで構成されて、各紐通し部（７）の位置で二つ折り状に折り返されて配置されていることを特徴とする請求項１〜３のいずれかに記載の装飾用人形。
【考案の詳細な説明】
【技術分野】
【０００１】
本考案は、贈答品等の被装飾物に括り付けられる装飾用人形に関するものである。
【背景技術】
【０００２】
従来の装飾用人形には、人形本体に左右一対の腕又は前脚が突設された兎や熊等の縫いぐるみの人形本体にリング体を設け、このリング体に花瓶を挿通保持して、この花瓶に花を差し込んで保持させることにより、花束を抱きかかえることができる縫いぐるみ人形を構成するようにしたものがある（例えば特許文献１）。
【先行技術文献】
【特許文献】
【０００３】
【特許文献１】実用新案登録第３００４４２９号公報
【考案の概要】
【考案が解決しようとする課題】
【０００４】
ところで、従来の装飾用人形を使用して、贈答品である花束を被装飾物としてこれに装飾用人形を付着させて花束と一緒に贈答するようにすることが考えられる。
しかし、従来の場合、リング体の大きさや形によって、装飾用人形が抱きかかえる贈答品等の被装飾物の大きさや形が大きく規制され、贈答品等の被装飾物が花束に限定されると共に、花束の大きさもリング体の大きさによって規制され、装飾用人形としての汎用性に欠けるという問題があった。
【０００５】
本考案は上記問題点に鑑み、贈答品等の被装飾物が大小様々な花束であってもまた花束以外の他の被装飾物であっても被装飾物に容易に付着させる（括り付ける）ことができて、贈答品等の被装飾物を確実に装飾することができる装飾用人形を提供することを目的としている。
【課題を解決するための手段】
【０００６】
本考案における課題解決のための具体的手段は、次の通りである。
この技術的課題を解決する本考案の技術的手段は、人形本体２に左右一対の腕又は前脚３が突設され、前記人形本体２を被装飾物９に括り付ける紐体６を挿通するための紐通し部７が、前記一対の腕又は前脚３のそれぞれの先端側に設けられている点にある。
また、本考案の他の技術的手段は、前記紐通し部７が、左右一対の腕又は前脚３を前方に向けて平行に引き揃えた際のそれぞれの左右方向内側に相当する部位に相対峙して設けられている点にある。
【０００７】
また、本考案の他の技術的手段は、紐通し部７が、左右一対の腕又は前脚３から環状に突設されている点にある。
また、本考案の他の技術的手段は、各紐通し部７にはそれぞれ別個の紐体６が挿通され、各紐体６はリボンで構成されて、各紐通し部７の位置で二つ折り状に折り返されて配置されている点にある。
【考案の効果】
【０００８】
本考案によれば、紐通し部に挿通した紐体を利用して、贈答品等の被装飾物が大小様々な花束であってもまた花束以外の他の被装飾物であっても装飾用人形を被装飾物に容易に括り付けることができ、これにより熊等の動物が被装飾物を一対の腕又は前脚で持った状態になすことができ、装飾用人形の汎用性を高めて贈答品等の被装飾物を確実かつ良好に装飾することができる。
【図面の簡単な説明】
【０００９】
【図１】本考案の第１実施形態を示す斜視図である。
【図２】同花束に装飾用人形を括り付けた状態の斜視図である。
【図３】同ケースに装飾用人形を括り付けた状態の斜視図である。
【図４】第２実施形態を示す斜視図である。
【考案を実施するための形態】
【００１０】
以下、本考案の実施の形態を図面に基づいて説明する。
図１〜図３は第１実施形態を示している。同図おいて、装飾用人形１は熊の縫いぐるみ人形により構成され、人形本体２に左右一対の腕（又は前脚）３が突設されている。一対の腕３のそれぞれの先端側に紐体６を挿通するための紐通し部７が設けられている。紐通し部７は、左右一対の腕３を前方に向けて平行に引き揃えた際のそれぞれの左右方向内側に相当する部位に相対峙して設けられ、左右一対の腕３から環状に突設されている。
【００１１】
各紐通し部７にはそれぞれ別個の紐体６が挿通保持されていて、人形本体２に左右一対の腕３を介して一対の紐体６が装着されている。これら紐体６は人形本体２を被装飾物９に括り付けるためのものであり、各紐体６はリボンで構成されて、各紐通し部７の位置で二つ折り状に折り返されて配置されている。
図２の図例では被装飾物９は贈答品である大きな花束により構成され、図３の図例では被装飾物９は贈答品であるおもちゃ等を収納したケースにより構成されている。被装飾物９（花束、ケース）に左右一対の紐体６を巻回して蝶々結びで結び付けることにより、人形本体２を被装飾物９に一対の腕３及び一対の紐体６を介して括り付けることができるようになっている。
【００１２】
上記実施形態によれば、例えば花束を贈答する場合、図２に示すように、花束である被装飾物９に左右一対の紐体６を巻回して蝶々結びで結び付けることにより、人形本体２を被装飾物９に一対の腕３及び一対の紐体６を介して簡単に括り付けることができ、熊等の動物が贈答品である被装飾物９を抱いた状態で被装飾物９を贈答することができる。従って、熊等のかわいい動物が贈答品である花束を受け渡す状況をイメージさせ、花束を受け取る人の心が和むような心理的な印象を与えて被装飾物９を受け取る人を喜ばせることができる。
【００１３】
また、花束以外の贈答品を贈答する場合、例えば図３に示すように、おもちゃ等を収納したケースを贈答する場合でも、ケースである被装飾物９に左右一対の紐体６を巻回して蝶々結びで結び付けることにより、人形本体２を被装飾物９に一対の腕３及び一対の紐体６を介して簡単に括り付けることができ、熊等の動物が贈答品であるケースを受け渡す状況をイメージさせることができる。
【００１４】
従って、紐通し部７に挿通した紐体６を利用して、贈答品等の被装飾物９が大小様々な花束であってもまた花束以外の他の被装飾物９であっても装飾用人形１を被装飾物９に容易に括り付けることができ、これにより熊等の動物が被装飾物９を一対の腕（又は前脚）３で持った状態になすことができ、装飾用人形１の汎用性を高めて贈答品等の被装飾物９を確実かつ良好に装飾することができる。
【００１５】
また、紐通し部７が、左右一対の腕３を前方に向けて平行に引き揃えた際のそれぞれの左右方向内側に相当する部位に相対峙して設けられているので、紐通し部７を外部から見え難くすることができ、外観上の体裁をよくすることができる。また、各紐体６はリボンで構成されているので、リボンによって被装飾物９に対する装飾効果を高めることができる。
【００１６】
図４は第２実施形態を示している。図４に示すように、一対の腕（前脚）３のそれぞれの先端側に設けた左右一対の紐通し部７は、ボタンホール状の挿通孔により構成されている。その他の点は前記第１実施形態と同様の構成であり、第１実施形態の場合と同様に、贈答品等の被装飾物９が大小様々な花束であってもまた花束以外の他の被装飾物９であっても装飾用人形１を被装飾物９に容易に括り付けることができて、贈答品等を装飾することができる。
【００１７】
なお、前記実施形態では、装飾用人形１を熊の縫いぐるみにより構成しているが、これに代え、装飾用人形１をビニール樹脂その他で構成するようにしてもよい。また、装飾用人形１を、熊に代えて、兎、ねこ、犬、人等の熊以外の動物により構成してもよい。
また、前記実施形態では、一対の紐通し部７にリボンで構成したそれぞれ別個の紐体６を挿通配置しているが、これに代え、一対の紐通し部７に一本の紐体６を挿通配置するようにしてもよい。また、紐体６をリボンに代えて、組紐、革紐、紙紐その他で構成してもよい。
【００１８】
また、一対の紐通し部７を、左右一対の腕又は前脚３を前方に向けて平行に引き揃えた際の左右方向外側に相当する部位に設けるようにしてもよい。
また、花束、ケース等の被装飾物９は贈答品である必要はなく、単なる置物や装飾品等であってもよい。
【符号の説明】
【００１９】
１      装飾用人形
２      人形本体
３      腕（又は前脚）
６      紐体
７      紐通し部
９      被装飾物
【図１】
0003167187.tif 000003
【図２】
0003167187.tif 000004
【図３】
0003167187.tif 000005
【図４】
0003167187.tif 000006